(57)【要約】【課題】毎週の主日に各地の教会にて行われる礼拝における説教を、引用する聖書の部分に関連付けて、利用者に提供することができる聖書提供プログラムを提供する【解決手段】  聖書を引用する説教を画面に表示する説教表示ステップと、現在画面に表示されている説教と聖書の引用箇所若しくは聖句が少なくとも部分的に一致する説教又は現在画面に表示されている説教に関連した説教を検索する検索ステップと、検索された説教の一覧を表示する検索結果一覧表示ステップと、前記検索結果一覧表示ステップで表示された説教の一覧から選択された説教を画面に表示する選択説教表示ステップと、を有する説教提供方法をコンピュータに実行させる。【選択図】図１７
2020042518.tif 000002
【特許請求の範囲】
【請求項１】
聖書を引用する説教を画面に表示する説教表示ステップと、
現在画面に表示されている説教と聖書の引用箇所若しくは聖句が少なくとも部分的に一致する説教又は現在画面に表示されている説教に関連した説教を検索する検索ステップと、
検索された説教の一覧を表示する検索結果一覧表示ステップと、
前記検索結果一覧表示ステップで表示された説教の一覧から選択された説教を画面に表示する選択説教表示ステップと、
を有する説教提供方法をコンピュータに実行させるための説教提供プログラム。
【請求項２】
請求項１に記載の説教提供プログラムであって、
前記説教提供方法は、
聖書のブック、章又は節を検索単位として利用者に選択させる検索単位選択ステップを更に備え、
前記検索ステップでは、現在画面に表示されている説教と聖書の引用箇所が前記検索単位で少なくとも部分的に一致する説教を検索することを特徴とする説教提供プログラム。
【請求項３】
請求項１又は２に記載の説教提供プログラムであって、
前記説教提供方法は、
最新の説教、教会別説教、教派別説教、説教者別説教、説教シリーズ特集をメニュー項目として含む主メニューを表示するステップと、
前記主メニューにおいて選択されたメニュー項目に対応した説教リストまたは二次メニューを表示するステップと、
二次メニューを表示した場合には、二次メニューで選択された二次メニュー項目に対応した説教リストを表示するステップと、
を更に有し、
前記説教リストにて選択された説教を前記説教表示ステップで表示することを特徴とする説教提供プログラム。
【請求項４】
聖書を引用する説教を画面に表示する説教表示ステップと、
現在画面に表示されている説教と聖書の引用箇所若しくは聖句が少なくとも部分的に一致する説教又は現在画面に表示されている説教に関連した説教を他のコンピュータに検索させる検索ステップと、
検索された説教の一覧を表示する検索結果一覧表示ステップと、
前記検索結果一覧表示ステップで表示された説教の一覧から選択された説教を画面に表示する選択説教表示ステップと、
を有する説教提供方法をコンピュータに実行させるための説教提供プログラム。
【請求項５】
請求項４に記載の説教提供プログラムであって、
前記説教提供方法は、
聖書のブック、章又は節を検索単位として利用者に選択させる検索単位選択ステップを更に備え、
前記検索ステップでは、現在画面に表示されている説教と聖書の引用箇所が前記検索単位で少なくとも部分的に一致する説教を他のコンピュータに検索させることを特徴とする説教提供プログラム。
【請求項６】
請求項４又は５に記載の説教提供プログラムであって、
前記説教提供方法は、
最新の説教、教会別説教、教派別説教、説教者別説教、説教シリーズ特集をメニュー項目として含む主メニューを表示するステップと、
前記主メニューにおいて選択されたメニュー項目に対応した説教リストまたは二次メニューを表示するステップと、
二次メニューを表示した場合には、二次メニューで選択された二次メニュー項目に対応した説教リストを表示するステップと、
を更に有し、
前記説教リストにて選択された説教を前記説教表示ステップで表示することを特徴とする説教提供プログラム。
【発明の詳細な説明】
【技術分野】
【０００１】
本発明は、説教提供プログラムに関する。
【背景技術】
【０００２】
従来から携帯型情報処理装置用のアプリとして聖書表示アプリがあるが、聖書を表示したり、聖書の文章をキーワード検索したりするにとどまっている。
【発明の概要】
【発明が解決しようとする課題】
【０００３】
本発明は、毎週の主日に各地の教会にて行われる礼拝における説教を、引用する聖書の部分に関連付けて、利用者に提供することができる聖書提供プログラムを提供することを目的とする。
【課題を解決するための手段】
【０００４】
本発明によれば、
聖書を引用する説教を画面に表示する説教表示ステップと、
現在画面に表示されている説教と聖書の引用箇所若しくは聖句が少なくとも部分的に一致する説教又は現在画面に表示されている説教に関連した説教を検索する検索ステップと、
検索された説教の一覧を表示する検索結果一覧表示ステップと、
前記検索結果一覧表示ステップで表示された説教の一覧から選択された説教を画面に表示する選択説教表示ステップと、
を有する説教提供方法をコンピュータに実行させるための説教提供プログラムが提供される。
【０００５】
また、本発明によれば、
聖書を引用する説教を画面に表示する説教表示ステップと、
現在画面に表示されている説教と聖書の引用箇所若しくは聖句が少なくとも部分的に一致する説教又は現在画面に表示されている説教に関連した説教を他のコンピュータに検索させる検索ステップと、
検索された説教の一覧を表示する検索結果一覧表示ステップと、
前記検索結果一覧表示ステップで表示された説教の一覧から選択された説教を画面に表示する選択説教表示ステップと、
を有する説教提供方法をコンピュータに実行させるための説教提供プログラムが提供される。
【発明の効果】
【０００６】
本発明によれば、毎週の主日に各地の教会にて行われる礼拝における説教を、引用する聖書の部分に関連付けて、利用者に提供することができる。
【図面の簡単な説明】
【０００７】
【図１】本発明の実施の形態による携帯型情報処理装置の構成を示す機能ブロック図である。
【図２】本発明の第１の実施の形態において図１に示すデータベースに含まれるテーブルの構成を示す図である。
【図３】本発明の実施の形態による牧師説教アプリにより表示される主メニューの画面を示す図である。
【図４】主メニューで「最新の説教」が選択された時に表示される最新の説教の一覧メニューの画面を示す図である。
【図５】主メニューで「教会別説教／教会一覧」が選択された時にその下に教会一覧の二次メニューが挿入された状態の画面を示す図である。
【図６】主メニューで「教派別説教／教派一覧」が選択された時にその下に教派一覧の二次メニューが挿入された状態の画面を示す図である。
【図７】主メニューで「説教者別説教／説教者一覧」が選択された時にその下に説教者一覧の二次メニューが挿入された状態の画面を示す図である。
【図８】図４に示す最新の説教の一覧メニューにおいて第４欄にある「イスラエル史（２）「二つの国民」」が選択された時又は図１２に示す「教派「日本イエス・キリスト教団」」における説教の一覧メニューにおいて第１欄にある「イスラエル史（２）「二つの国民」」が選択された時に表示される「イスラエル史（２）「二つの国民」」の説教の画面を示す図である。
【図９】図８に示す「イスラエル史（２）「二つの国民」」の説教の画面において「荻窪栄光教会」が選択された時にポップアップ表示される荻窪栄光教会のＷＥＢページである。
【図１０】図５に示す教会一覧の二次メニューにおいて第２欄にある「立川福音自由教会」が選択された時に表示される「立川福音自由教会」における説教の一覧メニューの画面を示す図である。
【図１１】図１０に示す「立川福音自由教会」における説教の一覧メニューにおいて第１欄にある「主（ヤハウェ）の怒りを引き起こす生き方」が選択された時に表示される「主（ヤハウェ）の怒りを引き起こす生き方」の説教の画面を示す図である。
【図１２】図６に示す教派一覧の二次メニューにおいて第２欄にある「日本イエス・キリスト教団」が選択された時に表示される「教派「日本イエス・キリスト教団」」における説教の一覧メニューの画面を示す図である。
【図１３】主メニューで「説教者別説教／説教者一覧」が選択された時にその下に教説教者一覧の二次メニューが挿入された状態の画面を示す図である。
【図１４】主メニューで「説教シリーズ特集」が選択された時にその下に教説教者一覧の二次メニューが挿入された状態の画面を示す図である。
【図１５】図１４に示す説教シリーズ特集の二次メニューの第１欄にある「尾■令仁「コリントの使徒への手紙一」」が選択された時に表示される「尾■令仁「コリントの使徒への手紙一」」に関する説教の一覧メニューの画面を示す図である。
【図１６】所定の操作の結果として表示されるコリントの使徒への手紙−３．１０−３．１５を引用した「クリスチャンへの報い」の説教の画面を示す図である。
【図１７】図１６に示す「クリスチャンへの報い」の説教の画面と、その画面においてメニューボタンが押された時に表示される、どの説教を探すかを選択するためのポップアップメニューを示す図である。
【図１８】図１７に示すポップアップメニューにおいて「同じ節を引用している」が選択された時に表示される同じ節を引用している説教のリスト画面である。
【図１９】図１７に示すポップアップメニューにおいて「同じ章を引用している」が選択された時に表示される同じ章を引用している説教のリスト画面である。
【図２０】図１７に示すポップアップメニューにおいて「同じブックを引用している」が選択された時に表示される同じ章を引用している説教のリスト画面である。
【図２１】図１８に示す説教のリスト画面において第１欄にある「神の宮である私たち」が選択された時又は図１７に示す説教のリスト画面において第２欄にある「神の宮である私たち」が選択された時に表示されるコリントの使徒への手紙−３．１０−３．１５を引用した「神の宮である私たち」の説教の画面を示す図である。
【図２２】図２０に示す説教のリスト画面において第１欄にある「成長させてくださるのは神」が選択された時に表示されるコリントの使徒への手紙−３．４−３．９を引用した「成長させてくださるのは神」の説教の画面を示す図である。
【図２３】本発明の第２の実施の形態において図１に示すデータベースに含まれるテーブルの構成を示す図である。
【図２４】本発明の第４の実施の形態における共通して引用するブックを説明するための図である。
【図２５】本発明の第４の実施の形態における共通して引用する章を説明するための図である。
【図２６】本発明の第４の実施の形態における共通して引用する節を説明するための図である。
【図２７】本発明の第５の実施の形態において聖書グラフを利用して着目している説教に対して関係が強い順に他の説教を検索する方法を説明するための図である。
【図２８】本発明の第８の実施の形態における携帯型情報処理装置の構成を示す機能ブロック図である。
【図２９】本発明の第８の実施の形態におけるサーバ装置の構成を示す機能ブロック図である。
【図３０】本発明の第８の実施の形態で使用するＡＰＩの仕様の例を示した図である。
【発明を実施するための形態】
【０００８】
以下、図面を参照して本発明を実施するための形態について詳細に説明する。
【０００９】
図１を参照すると、本実施形態による携帯型情報処理装置は、ＣＰＵ２１１、メモリ２１３、通信部インターフェース２２１、通信部２２３、外部インターフェース２３１、入出力インターフェース２４１、タッチパネル２４３、ボタン類２４５、スピーカ２４７及びマイク２４９を含む。
【００１０】
ＣＰＵ２１１は、画面生成部２１１ａ、検索式生成部２１１ｂ、検索部２１１ｃ及び制御部２１１ｄを含む。
【００１１】
メモリ２１３は、プログラム２１３ａ及びデータベース２１３ｂを格納する。
【００１２】
ＣＰＵ２１１は、メモリ２１３から牧師説教アプリのプログラム２１３ａを読み込んで実行することにより、画面生成部２１１ａ、検索式生成部２１１ｂ、検索部２１１ｃ及び制御部２１１ｄとして機能する。
【００１３】
画面生成部２１１ａは、タッチパネル２４３の画面に表示する画面を生成する。
【００１４】
検索式生成部２１１ｂ、画面に生成するデータをデータベース２１３ｂから検索するための検索式を生成する。
【００１５】
検索部２１１ｃは、検索式生成部２１１ｂにより生成された検索式に基づいてデータベース２１３ｂからデータを取得する。
【００１６】
制御部２１１ｄは、画面生成部２１１ａ、検索式生成部２１１ｂ及び検索部２１１ｃを制御する。
【００１７】
データベース２１１ｂは、図２に示すように、聖書テーブル３０１及び説教テーブル３０３を含む。
【００１８】
聖書テーブル３０１は、ブック、章、節及び文章のフィールドを有する。聖書テーブル３０１は、旧約聖書３９巻及び新約聖書２７巻に対応した文章を含むが、文章は、巻毎・節毎に分割されていて、各レコードには、各巻の番号・各節の番号及びこれらの組み合わせに対応した文章が保存されている。例えば、ブックの番号が１、章の番号が１、節の番号が１のレコードには、文章として、創世記第１章第１節の「はじめに神は天と地とを創造された。」が記録されている。また、ブックの番号が４０、章の番号が１のレコードには、文章として、マタイによる福音書第１章第１節の「アブラハムの子であるダビデの子、イエス・キリストの系図。」が記録されている。
【００１９】
説教テーブル３０３は、タイトル、年月日、説教者、教派、教会、ブック、開始章、開始節、終了章及び終了節のフィールドを有する。
【００２０】
タイトルは、画面に表示する説教のタイトルである。
【００２１】
年月日は、説教が行われた年月日である。
【００２２】
説教者は、説教を行った牧師などの氏名である。
【００２３】
教派は、説教者が属する教派である。又は、説教が行われた教会の教派であってもよい。
【００２４】
教会は、説教が行われた教会である。
【００２５】
ブック、開始章、開始節、終了章及び終了節は、説教が聖書のどの部分を引用したものであるのかを表すものである。具体的には、説教が聖書のどのブックのどの開始章・開始節からどの終了章・終了節までを引用して行われたのかを表すものである。
【００２６】
通信部インターフェース２２１及び通信部２２３により音声の送受信とデータの送受信をすることができる。
【００２７】
外部インターフェース２３１により、これに接続されたデバイスとデータの入出力をすることができる。
【００２８】
タッチパネル２４３及びユーザインターフェース２４１により画像の表示とタッチ操作による入力の受付けをすることができる。
【００２９】
ボタン類２４５とユーザインターフェス２４１により、各ボタンに対する操作を受け付けることができる。
【００３０】
スピーカ２４７とユーザインターフェース２４１により音声の出力をすることができる。
【００３１】
マイク２４９とユーザインターフェース２４１により音声を入力することができる。
【００３２】
次に、図３乃至図２２を主に参照して、牧師説教アプリを実行するＣＰＵ２１１がタッチパネル２４３に表示する画面について説明する。
【００３３】
図３は、牧師説教アプリにより表示される主メニューの画面を示す。この画面には、メニュー項目として
・最新の説教
・教会別説教／教会一覧
・教派別説教／教派一覧
・説教者別／説教者一覧
・説教シリーズ特集
が表示される。なお、このうちの一部が省略されていてもよいし、第５の実施の形態で後述する様な聖書の文章に関連した繋がりをもとに検索された説教一覧を表示するメニューを追加しても良いし、それに限らない。
【００３４】
図３に示す主メニューで「最新の説教」が選択された時には、図４に示すような最新の説教の一覧メニューの画面が表示される。この画面において何れかの欄にある説教を選択するとその説教の画面が表示される。様式は、図８に示すようなものになるが、具体的な説明はここでは省略する。
【００３５】
なお、最新の説教としては、説教テーブル３０３に記録されている説教日の年月日と本日の年月日に基づいて、本日から所定日数以内に行われた説教が選択される。
【００３６】
図３に示す主メニューで「教会別説教／教会一覧」が選択された時には、図５に示すように、その下に教会一覧の二次メニューが挿入された状態の画面が表示される。
【００３７】
なお、教会一覧の二次メニューに表示される教会は、説教テーブル３０３に記録されている全ての教会である。
【００３８】
図３に示す主メニューで「教派別説教／教派一覧」が選択された時には、図６に示すように、その下に教派一覧の二次メニューが挿入された状態の画面が表示される。
【００３９】
なお、教派一覧の二次メニューに表示される教会は、説教テーブル３０３に記録されている全ての教派である。
【００４０】
図３に示す主メニューで「説教者別説教／説教者一覧」が選択された時には、図７に示すように、その下に説教者一覧の二次メニューが挿入された状態の画面が表示される。
【００４１】
なお、教派一覧の二次メニューに表示される教会は、説教テーブル３０３に記録されている全ての説教者である。
【００４２】
図４に示す最新の説教の一覧メニューにおいて第４欄にある「イスラエル史（２）「二つの国民」」が選択された時には、図８に示すような「イスラエル史（２）「二つの国民」」の説教の画面が表示される。
【００４３】
図８に示すように、この画面には、タイトルとして、「イスラエル史（２）「二つの国民」」が表示され、説教者として「中■秀一」が表示され、教会として「荻窪栄光教会」が表示され、説教の内容に関連した聖書の該当箇所として「創世記２１．１−２１．２１」が表示される。ここで「創世記２１．１−２１．２１」は、創世記２１章1節乃至２１節のことである。「創世記２１．１−２１．２１」は、説教テーブルのブック＝１、開始章＝１、開始節＝１、終了章＝２１、終了節＝２１に基づいて生成された文字列である。なお、予めこのように生成された文字列のフィールドをテーブルに設けていてもよい。ここで、ブックを表す番号とブックの名称との対応関係（例えば、１と創世記の対応関係）を示す表（図示せず。）を参照している。
【００４４】
図８に示すように、この画面には、説教者である中■秀一が荻窪栄光教会で創世記第２１章第１節乃至２１節を引用して行った説教の文章がテキスト表示される。また、画面の再生ボタンを押下すると、テキストに基づいて朗読音声が生成され、スピーカ２４７は、その朗読音声を出力する。
【００４５】
図８の画面において「荻窪栄光教会」が選択されると、図９に示すような「荻窪栄光教会」のＷＥＢページがポップアップ表示される。このＷＥＢページを起点として、これのＷＥＢサイトなどをブラウジングすることができる。
【００４６】
図５に示す教会一覧の二次メニューにおいて第２欄にある「立川福音自由教会」が選択された時には、図１０に示すような「立川福音自由教会」における説教の一覧メニューの画面が表示される。
【００４７】
図１０に示す「立川福音自由教会」における説教の一覧メニューにおいて第１欄にある「主（ヤハウェ）の怒りを引き起こす生き方」が選択された時には、図１１に示すような「主（ヤハウェ）の怒りを引き起こす生き方」の説教の画面が表示される。
【００４８】
図６に示す教派一覧の二次メニューにおいて第２欄にある「日本イエス・キリスト教団」が選択された時には、図１２に示すような「教派「日本イエス・キリスト教団」」における説教の一覧メニューの画面が表示される。
【００４９】
主メニューで「説教者別説教／説教者一覧」が選択された時には、図１３に示すように、その下に教説教者一覧の二次メニューが挿入された状態の画面が表示される。
【００５０】
主メニューで「説教シリーズ特集」が選択された時には、図１４に示すように、その下に教説教者一覧の二次メニューが挿入された状態の画面が表示される。
【００５１】
図１４に示す説教シリーズ特集の二次メニューの第１欄にある「尾■令仁「コリントの使徒への手紙一」」が選択された時には、図１５に示すような「尾■令仁「コリントの使徒への手紙一」」に関する説教の一覧メニューの画面が表示される。
【００５２】
図１６は、所定の操作の結果として表示されるコリントの使徒への手紙−３．１０−３．１５を引用した「クリスチャンへの報い」の説教の画面を示す図である。
【００５３】
図１６に示す「クリスチャンへの報い」の説教の画面において右下隅にあるメニューボタンが押された時には、図１７に示すように、どの説教を探すかを選択するためのポップアップメニューが表示される。
【００５４】
このポップアップメニューは、メニュー項目として
・同じ節を引用している
・同じ章を引用している
・同じブックを引用している
・取消
を含んでいる。
【００５５】
「同じ節を引用している」が選択された場合には、図１６に表示されている聖書がコリントの使徒への手紙一の第３章第１０節乃至第３章第１５節であるので、説教テーブル３０３からブックの数値がコリントの使徒に対応した数値であり、開始章・開始節乃至終了章・終了節に含まれる１以上の章・節のうち少なくとも１つの章・節が第３章第１０節乃至第３章第１５節の範囲にあるレコードを検索するための検索式が検索式生成部２１１ｂにより生成される。
【００５６】
その代わりに、説教テーブル３０３からブックの数値がコリントの使徒に対応した数値であり、開始章・開始節が第３章第１０節であるレコードを検索するための検索式が検索式生成部２１１ｂにより生成されてもよい。
【００５７】
また、説教テーブル３０３からブックの数値がコリントの使徒に対応した数値であり、開始章・開始節が第３章第１０節であり、終了章・終了節が第３章第１５節であるレコードを検索するための検索式が検索式生成部２１１ｂにより生成されてもよい。
【００５８】
そして、検索部２１１ｃは、検索式生成部２１１ｂにより生成された検索式を用いて説教テーブル３０３を検索する。
【００５９】
検索された唯一の説教のタイトル「神の宮である私たち」が図１８に示すように表示される。
【００６０】
図１８の画面において「神の宮である私たち」が選択されると図２１に示すように「神の宮である私たち」の説教が画面が表示される。
【００６１】
「同じ章を引用している」が選択された場合には、図１６に表示されている聖書がコリントの使徒への手紙一の第３章第１０節乃至第３章第１５節であるので、説教テーブル３０３からブックの数値がコリントの使徒に対応した数値であり、開始章乃至終了章に含まれる１以上の章のうち少なくとも１つの章が第３章であるレコードを検索するための検索式が検索式生成部２１１ｂにより生成される。
【００６２】
その代わりに、説教テーブル３０３からブックの数値がコリントの使徒に対応した数値であり、開始章が第３章であるレコードを検索するための検索式が検索式生成部２１１ｂにより生成されてもよい。
【００６３】
また、説教テーブル３０３からブックの数値がコリントの使徒に対応した数値であり、開始章が第３章であり、終了章が第３章であるレコードを検索するための検索式が検索式生成部２１１ｂにより生成されてもよい。
【００６４】
そして、検索部２１１ｃは、検索式生成部２１１ｂにより生成された検索式を用いて説教テーブル３０３を検索する。
【００６５】
検索された複数の説教の各々のタイトル「神の宮である私たち」、「神の宮である私たち」、・・・、「未成熟のしるし」が図１９に示すように表示される。
【００６６】
図１９の画面において「神の宮である私たち」が選択されると図２１に示すように「神の宮である私たち」の説教の画面が表示される。
【００６７】
また、図１９の画面において「成長させてくださるのは神」が選択されると図２２に示すように「成長させてくださるのは神」の説教が画面が表示される。
【００６８】
「同じブックを引用している」が選択された場合には、図１６に表示されている聖書がコリントの使徒への手紙一の第３章第１０節乃至第３章第１５節であるので、説教テーブル３０３からブックの数値がコリントの使徒に対応した数値であるレコードを検索するための検索式が検索式生成部２１１ｂにより生成される。
【００６９】
そして、検索部２１１ｃは、検索式生成部２１１ｂにより生成された検索式を用いて説教テーブル３０３を検索する。
【００７０】
検索結果の図示は省略する。
【００７１】
［第２の実施の形態］
第１の実施の形態は、１つの説教が１つのブックの連続した箇所しか引用しないことを前提としたものであった。これに対して、第２の実施の形態は、１つの説教が相互に離散的な関係にある引用箇所を引用することに対応したものである。例えば、同一のブックの相互に離散した複数個所や、相互に異なったブックの複数個所を引用する説教に対応する。
【００７２】
これを可能にするためにデータベースは、図２に示すものから、図２３に示すものに変更される。
【００７３】
図２３に示すデータベースは、聖書テーブル３１１、説教テーブル３１３及び引用テーブル３１５を含む。
【００７４】
聖書テーブル３１１は、ブック、章、節及び文章のフィールドを有する。聖書テーブル３１１は、旧約聖書３９巻及び新約聖書２７巻に対応した文章を含むが、文章は、巻毎・節毎に分割されていて、各レコードには、各巻の番号・各節の番号及びこれらの組み合わせに対応した文章が保存されている。例えば、ブックの番号が１、章の番号が１、節の番号が１のレコードには、文章として、創世記第１章第１節の「はじめに神は天と地とを創造された。」が記録されている。また、ブックの番号が４０、章の番号が１のレコードには、文章として、マタイによる福音書第１章第１節の「アブラハムの子であるダビデの子、イエス・キリストの系図。」が記録されている。
【００７５】
説教テーブル３１４は、説教ＩＤ、タイトル、年月日、説教者、教派、教会のフィールドを有する。
【００７６】
引用テーブル３１５は、説教ＩＤブック、開始章、開始節、終了章及び終了節のフィールドを有する。
【００７７】
説教テーブル３１３と引用テーブル３１５は、１対複数の関係にある。つまり、説教テーブル３１１は、同一の説教ＩＤに対して、１つのみのレコードを有するが、引用テーブル３１３は、同一の説教ＩＤに対して、１又は複数のレコードを有する。
【００７８】
これにより、１つの説教が上述のように、１つの説教が相互に離散的な関係にある引用箇所を引用することに対応できるようにしている。
【００７９】
第２の実施の形態においては、通常の表示は、第１の実施の形態と同様に行われる。
【００８０】
図１６は、所定の操作の結果として表示されるコリントの使徒への手紙−３．１０−３．１５を引用した「クリスチャンへの報い」の説教の画面を示す図である。
【００８１】
図１６に示す「クリスチャンへの報い」の説教の画面において右下隅にあるメニューボタンが押された時には、図１７に示すように、どの説教を探すかを選択するためのポップアップメニューが表示される。
【００８２】
このポップアップメニューは、メニュー項目として
・同じ節を引用している
・同じ章を引用している
・同じブックを引用している
・取消
を含んでいる。
【００８３】
「同じ節を引用している」が選択された場合には、図１６に表示されている聖書がコリントの使徒への手紙一の第３章第１０節乃至第３章第１５節であるので、引用テーブル３１５からブックの数値がコリントの使徒に対応した数値であり、開始章・開始節乃至終了章・終了節に含まれる１以上の章・節のうち少なくとも１つの章・節が第３章第１０節乃至第３章第１５節の範囲にあるレコードを検索するための検索式が検索式生成部２１１ｂにより生成される。
【００８４】
その代わりに、引用テーブル３１５からブックの数値がコリントの使徒に対応した数値であり、開始章・開始節が第３章第１０節であるレコードを検索するための検索式が検索式生成部２１１ｂにより生成されてもよい。
【００８５】
また、引用テーブル３１５からブックの数値がコリントの使徒に対応した数値であり、開始章・開始節が第３章第１０節であり、終了章・終了節が第３章第１５節であるレコードを検索するための検索式が検索式生成部２１１ｂにより生成されてもよい。
【００８６】
そして、検索部２１１ｃは、検索式生成部２１１ｂにより生成された検索式を用いて引用テーブル３１５を検索する。
【００８７】
次に、引用テーブル３１５から検索されたレコードの説教ＩＤと同一の説教ＩＤを有するレコードを説教テーブル３１３から検索する。
【００８８】
説教テーブル３１５から検索された唯一の説教のタイトル「神の宮である私たち」が図１８に示すように表示される。
【００８９】
図１８の画面において「神の宮である私たち」が選択されると図２１に示すように「神の宮である私たち」の説教が画面が表示される。
【００９０】
「同じ章を引用している」が選択された場合には、図１６に表示されている聖書がコリントの使徒への手紙一の第３章第１０節乃至第３章第１５節であるので、引用テーブル３１５からブックの数値がコリントの使徒に対応した数値であり、開始章乃至終了章に含まれる１以上の章のうち少なくとも１つの章が第３章であるレコードを検索するための検索式が検索式生成部２１１ｂにより生成される。
【００９１】
その代わりに、引用テーブル３１５からブックの数値がコリントの使徒に対応した数値であり、開始章が第３章であるレコードを検索するための検索式が検索式生成部２１１ｂにより生成されてもよい。
【００９２】
また、引用テーブル３１５からブックの数値がコリントの使徒に対応した数値であり、開始章が第３章であり、終了章が第３章であるレコードを検索するための検索式が検索式生成部２１１ｂにより生成されてもよい。
【００９３】
そして、検索部２１１ｃは、検索式生成部２１１ｂにより生成された検索式を用いて引用テーブル３０３を検索する。
【００９４】
次に、引用テーブル３１５から検索されたレコードの説教ＩＤと同一の説教ＩＤを有するレコードを説教テーブル３１３から検索する。
【００９５】
説教テーブル３１３から検索された複数の説教の各々のタイトル「聖化（２）「聖霊によるきよめ」」、「神の宮である私たち」、・・・、「未成熟のしるし」が図１９に示すように表示される。
【００９６】
図１９の画面において「紙の宮である私たち」が選択されると図２１に示すように「神の宮である私たち」の説教の画面が表示される。
【００９７】
また、図１９の画面において「成長させてくださるのは神」が選択されると図２２に示すように「成長させてくださるのは神」の説教が画面が表示される。
【００９８】
「同じブックを引用している」が選択された場合には、図１６に表示されている聖書がコリントの使徒への手紙一の第３章第１０節乃至第３章第１５節であるので、引用テーブル３１５からブックの数値がコリントの使徒に対応した数値であるレコードを検索するための検索式が検索式生成部２１１ｂにより生成される。
【００９９】
そして、検索部２１１ｃは、検索式生成部２１１ｂにより生成された検索式を用いて引用テーブル３１５を検索する。
【０１００】
次に、引用テーブル３１５から検索されたレコードの説教ＩＤと同一の説教ＩＤを有するレコードを説教テーブル３１３から検索する。
【０１０１】
説教テーブル３１３から検索された複数の説教の各々のタイトル「成長させてくださるのは神」、「神を遠くに感じる時」、・・・、「ともに苦しみ、共に喜ぶ」が図２０に示すように表示される。
【０１０２】
［第３の実施の形態］
説教テーブルは、ブック、開始章、開始節、終了章及び終了節のフィールドの代わりに、これらにより表される聖書引用箇所のフィールドを持っていてもよい。
【０１０３】
例えば、ブック＝１、開始章＝１、開始節＝１、終了章＝２１、終了節＝２１のレコードならば、「創世記２１．１−２１．２１」の聖書引用箇所のフィールドを持っていてもよい。
【０１０４】
この場合、「同じ節を引用している」説教を探す場合には、文字列処理をする。つまり、「創世記２１．１」を聖書引用箇所のフィールドに含むレコード、「創世記２１．２」を聖書引用箇所のフィールドに含むレコード、・・・、「創世記２１．２１」を聖書引用箇所のフィールドに含むレコードを検索する。
【０１０５】
「同じ章を引用している」説教を探す場合にも、文字列処理をする。つまり、「創世記２１．＊」を聖書引用箇所のフィールドに含むレコードを検索する。ここで、「＊」は、任意の１文字以上の文字列である。
【０１０６】
「同じブックを引用している」説教を探す場合には、文字列処理をする。つまり、「創世記＊」を聖書引用箇所のフィールドに含むレコードを検索する。ここで、「＊」は、任意の１文字以上の文字列である。
【０１０７】
［第４の実施の形態］
第４の実施の形態は、説教間で共通して引用する聖書の引用箇所についてのものである。
【０１０８】
図２４は、４つの説教＃１、説教＃２、説教＃３、説教＃４が引用する引用箇所をブック単位で示したものである。黒塗りの章は、その全部または一部を説教が引用しているブックである。
【０１０９】
説教＃１を基準とする場合には、ブック単位で引用箇所が完全一致する説教は、説教＃２である。
【０１１０】
説教＃１を基準とする場合には、ブック単位で引用箇所が部分一致する説教は、説教＃２、説教＃３及び説教＃４である。
【０１１１】
基準とする説教とブック単位で引用箇所が完全一致する説教を探すためには、下記のことを行う。
（１１）基準とする説教が引用する聖書の引用箇所のブックを全部リストアップする。ここで、一部のみを引用されているブックも引用されているブックであるとみなす。
（１２）比較対象となる説教が引用する聖書の引用箇所のブックを全部リストアップする。ここで、一部のみを引用されているブックも引用されているブックであるとみなす。
（１３）上記（１１）でリストアップされたブックと上記（１２）でリストアップされたブックが全部一致すれば比較対象となる説教は、ブック単位で引用箇所が完全一致すると判断する。
【０１１２】
基準とする説教とブック単位で引用箇所が部分一致する説教を探すためには、下記のことを行う。
（２１）基準とする説教が引用する聖書の引用箇所のブックを全部リストアップする。ここで、一部のみを引用されているブックも引用されているブックであるとみなす。
（２２）比較対象となる説教が引用する聖書の引用箇所のブックを全部リストアップする。ここで、一部のみを引用されているブックも引用されているブックであるとみなす。
（２３）上記（２１）でリストアップされたブックと上記（２２）でリストアップされたブックが部分一致又は完全一致すれば比較対象となる説教は、ブック単位で引用箇所が部分一致すると判断する。
【０１１３】
図２５は、５つの説教＃２１、説教＃２２、説教＃２３、説教＃２４、説教＃５が引用する引用箇所をブック単位で示したものである。黒塗りの部分は、説教が引用している節である。
【０１１４】
説教＃２１を基準とする場合には、章単位で引用箇所が完全一致する説教は、説教＃２２、＃２３である。
【０１１５】
説教＃２１を基準とする場合には、章単位で引用箇所が部分一致する説教は、説教＃２２、説教＃２３、説教＃２４及び説教＃２５である。
【０１１６】
基準とする説教と章単位で引用箇所が完全一致する説教を探すためには、下記のことを行う。
（３１）基準とする説教が引用する聖書の引用箇所の章を全部リストアップする。ここで、一部のみを引用されている章も引用されている章であるとみなす。
（３２）比較対象となる説教が引用する聖書の引用箇所の章を全部リストアップする。ここで、一部のみを引用されている章も引用されている章であるとみなす。
（３３）上記（３１）でリストアップされた章と上記（３２）でリストアップされた章が全部一致すれば比較対象となる説教は、章単位で引用箇所が完全一致すると判断する。
【０１１７】
基準とする説教と章単位で引用箇所が部分全一致する説教を探すためには、下記のことを行う。
（４１）基準とする説教が引用する聖書の引用箇所の章を全部リストアップする。ここで、一部のみを引用されている章も引用されている章であるとみなす。
（４２）比較対象となる説教が引用する聖書の引用箇所の章を全部リストアップする。ここで、一部のみを引用されている章も引用されている章であるとみなす。
（４３）上記（４１）でリストアップされた章と上記（４２）でリストアップされた章が部分一致又は完全一致すれば比較対象となる説教は、章単位で引用箇所が部分一致すると判断する。
【０１１８】
図２６は、５つの説教＃３１、説教＃３２、説教＃３３、説教＃３４、説教＃３５が引用する引用箇所をブック単位で示したものである。黒塗りの部分は、説教が引用している節である。
【０１１９】
図２６に示す説教＃３１を基準とする場合には、節単位で引用箇所が完全一致する説教は、説教＃３２のみである。
【０１２０】
図２６に示す説教＃３１を基準とする場合には、節単位で引用箇所が部分一致する説教は、説教＃３２、説教＃３３、説教＃３４及び説教＃３５である。但し、他の章も引用している説教＃３５を除外してもよい。
【０１２１】
基準とする説教と節単位で引用箇所が完全一致する説教を探すためには、下記のことを行う。
（５１）基準とする説教が引用する聖書の引用箇所の節を全部リストアップする。
（５２）比較対象となる説教が引用する聖書の引用箇所の節を全部リストアップする。
（５３）上記（５１）でリストアップされた節と上記（５２）でリストアップされた節が全部一致すれば比較対象となる説教は、節単位で引用箇所が完全一致すると判断する。
【０１２２】
基準とする説教と章単位で引用箇所が部分全一致する説教を探すためには、下記のことを行う。
（６１）基準とする説教が引用する聖書の引用箇所の節を全部リストアップする。
（６２）比較対象となる説教が引用する聖書の引用箇所の節を全部リストアップする。
（６３）上記（６１）でリストアップされた節と上記（６２）でリストアップされた節が部分一致又は全部一致すれば比較対象となる説教は、節単位で引用箇所が部分一致すると判断する。
【０１２３】
［第５の実施の形態］
第５の実施の形態では、USFX(Unified Scripture Format XML)形式で記述された聖書データを利用する。これにより、図２７に記載の聖書グラフを構成できる。ここでは聖書のブック、章、節に単語群をUSFX形式で指定された意味的つながりを元にグラフ構造として表現できる。説教が引用している聖句（ＷＯＲＤ）と、該聖書グラフを探索することで、説教間の類似度を計算できる。例えば、説教AはBCV1とBCV7を引用しているとする。一方、説教BはBCV3とBCV4とBCV7を引用しているとする。さらに、説教CはBCV5を引用しているとする。この状況では、説教Aと説教Bは聖句１１（ＷＯＲＤ１１）と聖句１５（ＷＯＲＤ１５）を共通として到達可能な関係にあり、説教Bと説教Cは聖句１２（ＷＯＲＤ１２）を共通として到達可能な関係にある。ここで、該つながり数から、説教Aと説教Bの関係は説教Bと説教Cの関係よりも強いと定義すれば、説教Bと関連する説教をリストする検索に対しては、説教A、説教Cの順で回答できる。
【０１２４】
回答のあった説教を上記の実施の形態のように例えば図１０に示すような態様で携帯情報端末の画面に表示して、画面において選択された説教を表示することができる。
【０１２５】
図示していないが、現在の説教と関連する説教というメニュー項目を図１７に示すポップアップメニューに追加してもよい。この場合には、回答のあった説教を例えば図１８に示すような態様で表示して、画面において選択された説教を表示することができる。
【０１２６】
なお、聖書の引用箇所といった場合には、聖書のブック、章、節により特定されるが、聖句といった場合には、聖書の複数個所に掲載されていることがあるので、聖句とブック、章、節の組との関係は一般には１対多の関係にある。
【０１２７】
聖句（ＷＯＲＤ）についての説明を追加すると、例えば、創世記1章1節は”In the beginning God created the heaven and the earth”であるが、ここでの聖句（ＷＯＲＤ）は、"In the beginning”, “God”, “created”, "the heaven”, “and”, "the earth”の６個になる。例えば、"In the beginning”には聖句（ＷＯＲＤ）としてのＩＤが付いていて聖書文章中で、同じ意味の単語にも同じＩＤが付いている。例えば、この"In the beginning”と同じＩＤは、出エジプト記２３章１９節の"The first of the first fruits of thy land thou shalt bring nto the house of the LORD thy God”の最初の“The first”にも付いている。聖書グラフは日本語、英語、等の言語には依存してないデータ構造である為、聖書グラフを関連する説教をリストする計算に用いれば、言語間をまたがった関連する説教をリストすることが可能である。例えば、日本語で書かれた説教に関連する説教を英語で書かれた説教からリストすることも可能になる。
【０１２８】
［第６の実施の形態］
第６の実施の形態では、例えば、毎週、管理サーバが新しい説教を取り込んでデータベースを更新する。そして、管理サーバは、各携帯型情報処理装置に対して更新後のデータベースを送信する。差分のみを送信してもよく、その場合には、携帯型情報処理装置は、差分に基づいてデータベースを更新する。
【０１２９】
［第７の実施の形態］
どの説教を基準としてどのような検索を行った場合にどの説教が検索結果として選択されるかという関係を全ての説教について予め実行しておいて、その検索結果を検索用参照データとして保存しておき、検索のたびに検索用参照データを用いるようにしてもよい。管理サーバ検索用参照データを作成して、各携帯型情報処理装置に送ってもよいし、各携帯型情報処理装置がアイドル時間に管理サーバ検索用参照データを生成してもよい。
【０１３０】
また、第６の実施の形態のようにデータベースを更新する場合には、データベースの更新に応じて検索用参照データも更新する。そして、管理サーバは、更新後のデータベースと共に、更新後の検索用参照データも各携帯型情報処理装置に送信する。携帯型情報処理装置がアイドル時間に、更新後のデータベースに対応した検索用参照データを生成してもよい。
【０１３１】
［第８の実施の形態］
上記の実施の形態においては、図１に示すように、携帯型情報処理装置２０１がデータベース２１３ｂ、検索式生成部２１１ｂ、検索部２１１ｃを含む。
【０１３２】
これに対して、第８の実施の形態においては、図２８及び図２９に示すように、携帯型情報処理装置２０１からは、検索式生成部２１１ｂ、検索部２１１ｃ、データベース２１３ｂが取り除かれる。そして、携帯型情報処理装置２０１とインターネット３０１を介して通信可能に接続されるサーバ装置３１１が、検索式生成部２１１ｂ、検索部２１１ｃ、データベース２１３ｂを含む。また、サーバ装置３１１は、ＡＰＩ(Application Programming Interface)３２１、複数のマイクロサービス３２３−１乃至３２３−Ｎ、記憶装置３２５も含む。更に、携帯型情報処理装置２０１は、サーバ装置３１１から送られてきたデータベース２１３ｂからの検索結果を一時保存するデータベースキャッシュ２１３ｂをメモリ２１３の内部に含んでいる。
【０１３３】
携帯型情報処理装置２０１に含まれる制御部２１１ｄは、ＡＰＩ３２１の仕様に沿って、マイクロサービス３２３−１乃至３２３−Ｎの何れかを起動させる。起動されたマイクロサービス３２１−ｎ（ｎは、１、２、・・・、Ｎの何れか）は、検索式生成部２１１ｂ及び検索部２１１ｃを用いて、データベース２１３ｂから必要なデータを検索し、検索結果をＡＰＩ３２１を介して、制御部２１１ｄに送信する。制御部２１１は、サーバ装置３１１から送られてきた検索結果をデータベースキャッシュ２１３ｂに格納する。
【０１３４】
図３０にＡＰＩの仕様の一例を示す。
［第９の実施の形態］
第９の実施形態では、説教のテキストそのものを深層学習のアルゴリズムによってベクトル化して比較することで、関連した説教をリストしても良い。例えば、該アルゴリズムにはSkip-thought（https://arxiv.org/abs/1506.06726）とかSkip-gram（https://arxiv.org/pdf/1301.3781v3.pdf）とかのアルゴリズムを利用しても良いし、他のアルゴリズムでも良い。
【０１３５】
なお、上記の携帯型情報処理装置は、ハードウェア、ソフトウェア又はこれらの組み合わせにより実現することができる。また、上記の携帯型情報処理装置により行なわれる説教提供方法も、ハードウェア、ソフトウェア又はこれらに組み合わせにより実現することができる。ここで、ソフトウェアによって実現されるとは、コンピュータがプログラムを読み込んで実行することにより実現されることを意味する。
【０１３６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１３７】
本発明は、説教を提供するために利用することができる。
【符号の説明】
【０１３８】
２０１  携帯型情報処理装置
２１１  ＣＰＵ
２１１ａ  画面生成部
２１１ｂ  検索式生成部
２１１ｃ  検索部
２１１ｄ  制御部
２１３  メモリ
２２１  通信部インターフェース
２１３  通信部
２３１  外部インターフェース
２４１  入出力インターフェース
２４３  タッチパネル
２４５  ボタン類
２４７  スピーカ
２４９  マイク
【図１】
2020042518.tif 000003
【図２】
2020042518.tif 000004
【図３】
2020042518.tif 000005
【図４】
2020042518.tif 000006
【図５】
2020042518.tif 000007
【図６】
2020042518.tif 000008
【図７】
2020042518.tif 000009
【図８】
2020042518.tif 000010
【図９】
2020042518.tif 000011
【図１０】
2020042518.tif 000012
【図１１】
2020042518.tif 000013
【図１２】
2020042518.tif 000014
【図１３】
2020042518.tif 000015
【図１４】
2020042518.tif 000016
【図１５】
2020042518.tif 000017
【図１６】
2020042518.tif 000018
【図１７】
2020042518.tif 000019
【図１８】
2020042518.tif 000020
【図１９】
2020042518.tif 000021
【図２０】
2020042518.tif 000022
【図２１】
2020042518.tif 000023
【図２２】
2020042518.tif 000024
【図２３】
2020042518.tif 000025
【図２４】
2020042518.tif 000026
【図２５】
2020042518.tif 000027
【図２６】
2020042518.tif 000028
【図２７】
2020042518.tif 000029
【図２８】
2020042518.tif 000030
【図２９】
2020042518.tif 000031
【図３０】
2020042518.tif 000032